(57)【要約】【課題】  車両を運転中に異物を踏んでしまった場合にその異物が何であるかを静止画像で確認できるようにし、その後の安全運転に寄与することができる「車載用ナビゲーション装置」を提供すること。【解決手段】  走行中に取得された車両前方の画像の情報をその取得時の時間情報と共にＨＤＤに格納し（Ｓ１）、車両挙動変化もしくは異音を検出したときに（Ｓ２）、異物を踏んだものと判断し、ＨＤＤに格納されている画像情報のうち、その検出時点から所定時間前までの画像情報から当該異物を検出したときに（Ｓ３，Ｓ４）、その検出部分が識別できる表示態様で当該画像（静止画）を表示手段の画面に表示する（Ｓ５）。さらに必要に応じて（Ｓ６）、その検出部分（異物）をズームアップして表示し（Ｓ７）、その際、当該異物を踏んだ時刻及び場所を指示する情報も表示する。【選択図】  図２
2006273190.tif 000002
【特許請求の範囲】
【請求項１】
画面を通して情報を提供する表示手段と、
走行中の自車両の前方又は後方の画像を継続的に取得する撮像手段と、
前記撮像手段により取得された画像の情報をその取得時の時間情報と共に格納しておくための記憶手段と、
自車両の走行状態を検出するための走行状態検出手段と、
前記表示手段、撮像手段、記憶手段及び走行状態検出手段に動作可能に接続された制御手段とを具備し、
前記制御手段は、前記走行状態検出手段により検出された走行状態に基づいて自車両に挙動変化があったことを検出したときに、異物を踏んだものと判断し、前記記憶手段に格納されている画像情報のうち前記挙動変化の検出時点から所定時間前まで、又は所定時間後までの画像情報から当該異物を検出したときに、当該検出した異物が当該画像内のどの部分にあるのかを識別可能な表示態様で当該画像を前記表示手段の画面上に表示させることを特徴とする車載用ナビゲーション装置。
【請求項２】
自車両のサスペンションの近傍に設置され、前記制御手段に動作可能に接続されたマイクロホンをさらに具備し、
前記制御手段は、前記マイクロホンを通して通常の走行状態の時とは違う異音が検出されたときに、異物を踏んだものと判断し、前記記憶手段に格納されている画像情報のうち前記異音の検出時点から所定時間前まで、又は所定時間後までの画像情報から当該異物を検出したときに、当該検出した異物が当該画像内のどの部分にあるのかを識別可能な表示態様で当該画像を前記表示手段の画面上に表示させることを特徴とする請求項１に記載の車載用ナビゲーション装置。
【請求項３】
ユーザの指示を入力する入力手段をさらに具備し、
前記制御手段は、当該検出した異物が当該画像内のどの部分にあるのかを識別可能な表示態様で当該画像を前記表示手段の画面上に表示させている状態で、さらに前記入力手段を介してユーザ指示があったときに、当該検出した異物をズームアップして表示させることを特徴とする請求項１又は２に記載の車載用ナビゲーション装置。
【請求項４】
前記記憶手段は、さらにナビゲーションに係る地図情報を格納しており、
前記制御手段は、前記表示手段の画面上に当該検出した異物をズームアップして表示させる際に、前記記憶手段に格納されている前記時間情報及び前記地図情報を参照して、当該異物を踏んだ時刻及び場所を指示する情報も併せて表示させることを特徴とする請求項３に記載の車載用ナビゲーション装置。
【請求項５】
前記制御手段は、前記表示手段の画面上に当該異物を踏んだ場所に関する情報を表示させている状態で、さらに前記入力手段を介してユーザ指示があったときに、前記地図情報を参照して当該場所周辺の地図画像を前記画面の一部に表示させることを特徴とする請求項４に記載の車載用ナビゲーション装置。
【発明の詳細な説明】
【技術分野】
【０００１】
本発明は車載用ナビゲーション装置に関し、特に、車両を運転中に異物を踏んでしまった場合にその異物が何であるかの情報をユーザ（運転者）に提供するように適応された車載用ナビゲーション装置に関する。
【背景技術】
【０００２】
従来の車載用ナビゲーション装置には、ナビゲーションに係る一切の処理を制御するＣＰＵ、地図データを格納したＣＤ−ＲＯＭやＤＶＤ−ＲＯＭ等の記憶装置、ＬＣＤモニタ等のディスプレイ装置、自車の現在位置を検出するためのＧＰＳ受信機、自車の進行方位や走行速度等を検出するためのジャイロや車速センサ等が設けられている。そして、ＣＰＵにより、自車の現在位置を含む地図データを記憶装置から読み出し、この地図データに基づいて自車位置の周囲の地図画像をディスプレイ装置の画面に描画すると共に、自車の現在位置を指示する自車位置マークを画面に重ね合わせて表示し、自車の移動に応じて地図画像をスクロール表示したり、地図画像を画面に固定して自車位置マークを移動させたりして、自車が現在何処を走行しているのかを一目で判るようにしている。
【０００３】
また、車載用ナビゲーション装置には、通常、ユーザが目的地に向けて道路を間違うことなく容易に走行できるように案内する機能（経路誘導機能）が搭載されている。この経路誘導機能によれば、ＣＰＵにより、地図データを用いて出発地（典型的には自車の現在位置）から目的地までを結ぶ最適な経路を、横型探索法やダイクストラ法等のシミュレーション計算を行って探索し、探索した経路を誘導経路として記憶しておき、走行中、地図画像上にその誘導経路を他の道路とは識別可能に（例えば、色を変えたり、線幅を太くして）表示したり、また自車が誘導経路上で進路を変更すべき交差点に所定距離内に近づいたとき、地図画像上にその交差点の拡大図（交差点での進行方向を示す矢印等を含む）を表示したりすることで、目的地に向けた最適な経路をユーザが把握できるようになっている。
【０００４】
このようなナビゲーション装置を搭載した車両を運転中に異物を踏んでしまった場合、あるいは踏んだと思った場合、運転者は何を踏んだのか気になり、それを確認するために後ろを振り返ったり、バックミラーを覗いたりすることがある。また、異物を踏んだときの衝撃が大きかった場合にはいったん停車して確認することもある。いずれにせよ、現状の技術では、運転中に異物を踏んでしまった場合には、その場所に戻らない限り踏んだ物が何であったかは分からない。
【０００５】
これとは反対に、走行の障害となる路上の障害物（異物）を事前に検知してそれを回避する（踏まないようにする）技術もある。例えば、特許文献１に記載されるように、ナビゲーションシステムから読み込んだ道路データ等に基づいて作成した車両前方の道路領域の画像に、赤外線カメラ等で検出した温度分布を重ね合わせることで、前方の道路上に存在する雪や氷（低温部分）、人間や動物（高温部分）を認識して、その障害物を回避すべく警報を発するようにした技術がある。また、特許文献２に記載されるように、ＣＣＤカメラ等によって得られる自車の周囲状況を示す画像情報を、ナビゲーション装置のディスプレイ上に道路地図及び自車位置と共に表示し、さらにレーダ等による周辺対象物との距離検出結果と合わせて車両の走行の障害となる障害物を識別可能に表示させるようにした技術もある。
【特許文献１】特開平８−２６３７８４号公報
【特許文献２】特開平９−１６６４５２号公報
【発明の開示】
【発明が解決しようとする課題】
【０００６】
上述したように従来の技術では、車両を運転中に異物を踏んでしまった場合、運転者は何を踏んだのか気になるため、それを確認するために後ろを振り返ったり、バックミラーを覗いたりすることがあった。しかし、このような運転中の確認は、低速で走行中のときは可能であるかも知れないが、高速で走行中のときは実質上困難であり、また危険でもあった。
【０００７】
また、異物を踏んでしまったときにそれが確認できなかった場合、その後、運転者は何を踏んだのか気にしながら運転を継続することになるため、運転に集中できず、危険であった。特に、踏んだ異物が鋭利なものであった場合には、タイヤが損傷している可能性もあり、事故につながる危険性もあった。
【０００８】
このため、運転中に異物を踏んでしまった場合には、その場所に戻って安全に確認するのが望ましい。しかしながら、その異物がこのまま運転を継続して支障となるような物であれば、わざわざその場所まで戻って確認するだけの価値はあるが、そうでなければ、異物の場所まで戻ることは時間的にも無駄である。特に、高速道路などにおいては既に通過した場所まで戻ることは困難である。
【０００９】
本発明は、かかる従来技術における課題に鑑み創作されたもので、車両を運転中に異物を踏んでしまった場合にその異物が何であるかを静止画像で確認できるようにし、ひいてはその後の安全運転に寄与することができる車載用ナビゲーション装置を提供することを目的とする。
【課題を解決するための手段】
【００１０】
上述した従来技術の課題を解決するため、本発明によれば、画面を通して情報を提供する表示手段と、走行中の自車両の前方又は後方の画像を継続的に取得する撮像手段と、前記撮像手段により取得された画像の情報をその取得時の時間情報と共に格納しておくための記憶手段と、自車両の走行状態を検出するための走行状態検出手段と、前記表示手段、撮像手段、記憶手段及び走行状態検出手段に動作可能に接続された制御手段とを具備し、前記制御手段は、前記走行状態検出手段により検出された走行状態に基づいて自車両に挙動変化があったことを検出したときに、異物を踏んだものと判断し、前記記憶手段に格納されている画像情報のうち前記挙動変化の検出時点から所定時間前まで、又は所定時間後までの画像情報から当該異物を検出したときに、当該検出した異物が当該画像内のどの部分にあるのかを識別可能な表示態様で当該画像を前記表示手段の画面上に表示させることを特徴とする車載用ナビゲーション装置が提供される。
【００１１】
本発明に係る車載用ナビゲーション装置によれば、走行中の自車両の前方（又は後方）の画像を継続的に取得する撮像手段と、取得した画像の情報をその取得時の時間情報と共に格納する記憶手段とにより、ドライブレコーダ機能を実現している。そして、制御手段により、自車両の挙動変化を検出したときに「異物を踏んだ」ものと判断し、記憶手段に格納されているドライブレコーダ情報のうち、その検出時点から所定時間前（又は所定時間後）までの画像情報から当該異物の検出を行い、その検出部分（異物）が当該画像内のどの部分にあるのかを識別できるような表示態様で当該画像を画面に表示するようにしている。つまり、記憶手段に格納されたドライブレコーダ情報をそのまま読み出して動画再生するのではなく、ユーザが欲しい情報（この場合、踏んだ異物）のみを抽出し、画面を通して静止画像の態様で情報提供を行うようにしている。
【００１２】
これにより、ユーザは、車両を運転中に異物を踏んでしまった場合に、わざわざその場所まで戻らなくても、画面に表示された画像（この画像内に含まれる検出部分（異物））を確認することで、その異物が何であったのかを認識することができる。これによって、このまま運転を継続しても支障がないかどうかを確認することができ、その後の安全運転に寄与することができる。
【００１３】
また、上記の車載用ナビゲーション装置において、ユーザの指示を入力する入力手段をさらに具備し、前記制御手段は、当該検出した異物が当該画像内のどの部分にあるのかを識別可能な表示態様で当該画像を前記表示手段の画面上に表示させている状態で、さらに前記入力手段を介してユーザ指示があったときに、当該検出した異物をズームアップして表示させるようにしてもよい。
【００１４】
この形態によれば、上記の車載用ナビゲーション装置において画面に表示された画像からは肉眼でその異物が何であるかを容易に認識できなかった場合でも、ズームアップ表示によりその異物が何であるかを確実に認識することができる。
【発明を実施するための最良の形態】
【００１５】
以下、本発明の実施の形態について、添付の図面を参照しながら説明する。
【００１６】
図１は本発明の一実施形態に係る車載用ナビゲーション装置の構成を概略的に示したものである。
【００１７】
本実施形態に係る車載用ナビゲーション装置１０において、１１はアンテナを介して外部と通信するための車載電話機、携帯電話機等の通信機、１２はユーザが指示する情報を入力するための操作部を示し、例えば、リモコン送信器の形態を有している。特に図示はしないが、このリモコン送信器には、後述する表示部の画面上の各種メニュー、各種項目等を選択したり、選択したメニュー等を実行させるための各種操作ボタン、ジョイスティックなどが適宜設けられており、本発明に関連するものとして、後述するように自車両が踏んだ異物の検出及びその表示を実行させるための操作ボタンやキーなどが設けられている。また、１３はＧＰＳ衛星から送られてくるＧＰＳ信号に基づいて自車の現在位置の経度及び緯度を検出するＧＰＳ受信機を示す。
【００１８】
１４は車外の適当な場所（例えば、サスペンションの近傍）に設置されたマイクロホンを示し、このマイクロホン１４を通して通常の走行状態の時とは違う音（異音）が検出されたときに、後述する制御部において自車両は「異物を踏んだ」ものと判断される。つまり、マイクロホン１４による異音の検出は、異物を踏んだかどうかを判断するためのトリガとして利用される。ここに、「異音」とは、車両の走行中にサスペンションの近傍で通常ピックアップされる音（タイヤの回転する音、路面との接触音など）とレベル的に異なる短時間の音を指すものとする。また、１５は車両走行状態を検出するための車両センサを示し、例えば、自車の進行方位を検出するためのジャイロ等の角度センサ、一定の走行距離毎にパルスを発生する車速センサ等からなる。後述するように、この車両センサ１５で検出された車両走行状態を指示する情報から自車両の挙動に変化があったかどうかを判断（検出）することができ、車両挙動変化が検出されたときに、後述する制御部において自車両は「異物を踏んだ」ものと判断される。つまり、車両センサ１５の出力情報に基づいた車両挙動変化の検出は、異物を踏んだかどうかを判断するためのトリガとして利用される。
【００１９】
１６Ｆは自車両の前方の適当な場所（例えば、車室内のルームミラーの近傍）に設置された前方カメラ（車載カメラ）を示し、制御部１８からの制御に基づいて起動し、走行中（停止時も含む）の車両前方の映像（画像情報）を継続的に取得するものである。また、１７は画像処理部を示し、車載カメラ１６Ｆで撮影して得られた画像の信号を自車両の周辺の標識、路面状況（路上異物を含む）、他車両等として認識するための機能ブロックであり、車載カメラ１６Ｆで取得された画像の信号を増幅し、デジタル化して出力する機能も有している。この画像処理部１７では、一般的な画像認識装置において通常行われている処理と同様の処理が行われ、例えば、車載カメラ１６Ｆで取得された画像のノイズを除去したり、２値化やエッジ検出等の手法を用いて、取得した画像の中から特徴となる画像を識別し、その識別した画像を予め用意した複数のマッチング用パターン画像と照合し、一致した場合にその結果を出力する。
【００２０】
１８はマイクロコンピュータ等により構成された制御部を示し、基本的には、ＧＰＳ受信機１３から出力される信号に基づいて自車の現在位置を検出したり、車両センサ１５から出力される信号に基づいて自車の方位や走行速度を算出したり、後述する地図データベースから読み出した地図データを用いて設定された探索条件で出発地（自車位置）から目的地までの誘導経路を探索するなど、ナビゲーションに係る種々の処理を実行する。さらに制御部１８は、本発明に関連する処理として、後述するように路上異物の検出及びその表示に係る処理を制御する機能を有している。また、１９は各縮尺レベル（１／１２５００、１／２５０００、１／５００００等）に応じて適当な大きさの経度幅及び緯度幅に区切られた地図データを格納した地図データベースを示し、記憶媒体としてＨＤＤを使用している。このＨＤＤ（地図データベース１９）に格納されている地図データには、表示用の道路データ、経路探索用の道路データ、各種施設（コンビニエンスストア、ガソリンスタンド、ファミリーレストラン等）に関するデータなどが含まれており、各データは、経緯度で表現された点（ノード）の座標集合で表されている。
【００２１】
２０は地図データベース１９と同じＨＤＤを記憶媒体として用いたドライブレコーダ情報格納部を示し、このドライブレコーダ情報格納部２０（ＨＤＤ内の該当する記憶領域）には、車載カメラ１６Ｆで継続的に撮影して得られた画像（車両前方の映像）の情報が、その取得時の時間情報と共に、制御部１８からの制御に基づき画像処理部１７を介して逐次保存されるようになっている。この場合、車載用のＨＤＤの記憶容量には限りがあり、過去に取得したドライブレコーダ情報を全て保存しておくことはできないため、ＨＤＤを効率的に運用する観点から、ＨＤＤ内の該当する記憶領域にドライブレコーダ情報を順次上書きしながら格納する（例えば、３０分毎に更新する）。また、２１は地図データベース１９と同じＨＤＤを記憶媒体として用いた異物検出用情報格納部を示し、この異物検出用情報格納部２１（ＨＤＤ内の別の記憶領域）には、後述するように制御部１８からの制御に基づいてドライブレコーダ情報から抽出された特定の時間帯の画像情報（当該異物が映っている画像情報を含む）が保存されるようになっている。
【００２２】
２２は制御部１８によって探索された誘導経路の出発地（典型的には自車位置）から目的地までの全てのノード（経緯度で表現された点の座標）に関するデータを格納しておくための誘導経路記憶部を示す。また、２３はＬＣＤモニタ等からなる表示部を示し、基本的には、制御部１８からの制御に基づいてナビゲーションに係る案内情報（自車の現在位置の周囲の地図、出発地から目的地までの誘導経路、自車の現在位置を示すマーク等）を画面上に表示するものであり、さらに、後述するように制御部１８からの制御に基づいて検出した路上異物の表示に係る情報（静止画像）を画面上に表示するものである。また、２４はスピーカを示し、制御部１８からの制御に基づいて上記のナビゲーションに係る案内情報を音声出力するものである。
【００２３】
以上のように構成された車載用ナビゲーション装置１０において、操作部１２は「入力手段」に、車両センサ１５は「走行状態検出手段」に、車載カメラ１６Ｆは「撮像手段」に、制御部１８は「制御手段」に、ＨＤＤ１９〜２１は「記憶手段」に、表示部２３は「表示手段」に、それぞれ対応している。
【００２４】
以下、本実施形態に係る車載用ナビゲーション装置１０（図１）において制御部１８が行う路上異物の検出及びその表示に係る処理について、その処理フローの一例を示す図２と共に、この処理フローを補足説明するための画面表示例を示した図３〜図５を参照しながら説明する。
【００２５】
先ず、前提条件として、本装置１０を搭載した車両が目的地に向けて走行しているものとする。すなわち、ユーザが操作部（リモコン送信器）１２を操作して目的地を設定すると、制御部１８では、その目的地のデータとＧＰＳ受信機１３からの出力信号に基づき検出した自車の現在位置（出発地）のデータとに基づいて、出発地から目的地までが入る範囲の地図データを地図データベース１９から読み出し、出発地から目的地までを結ぶ最適な誘導経路を横型探索法等により探索して、その結果を誘導経路記憶部２２にいったん格納する。そして、誘導経路記憶部２２に格納されているデータを参照して、表示部２３の画面上にその誘導経路を表示しながら、車両を目的地まで案内する（経路案内）。
【００２６】
このように経路案内が行われている状態で、最初のステップＳ１では、制御部１８により、前方カメラ１６Ｆで継続的に撮影して得られた画像（車両前方の映像）の情報を画像処理部１７を介して取得し、この取得したデジタルの画像情報を、その取得時（撮像時）の時間情報と共に、ドライブレコーダ情報としてＨＤＤ内の該当する記憶領域（ドライブレコーダ情報格納部２０）に上書きしながら逐次保存する。
【００２７】
次のステップＳ２では、制御部１８において、車両センサ１５で検出された車両走行状態を指示する情報から自車両の挙動に変化があった（ＹＥＳ）か否（ＮＯ）かを判定し、あるいはマイクロホン１４を通して通常の走行状態の時とは違う異音が検出された（ＹＥＳ）か否（ＮＯ）かを判定する。判定結果がＹＥＳの場合には、車両挙動変化もしくは異音の検出をトリガとして自車両は「異物を踏んだ」ものと判断してステップＳ３に進み、判定結果がＮＯの場合には本処理フローは「終了」となる。
【００２８】
次のステップＳ３では、制御部１８により、ドライブレコーダ情報格納部２０に保存されているドライブレコーダ情報（画像の情報とその撮像時の時間情報）を参照して、車両挙動変化もしくは異音の検出時点から所定時間（１〜２秒ないし数秒）前までの画像の情報を抽出し、ＨＤＤ内の別の記憶領域（異物検出用情報格納部２１）に保存する。
【００２９】
次のステップＳ４では、操作部１２からのユーザ指示に基づいて制御部１８が、異物検出用情報格納部２１に保存されているドライブレコーダ情報を参照し、画像処理部１７と協働して、当該ドライブレコーダ情報（画像）から画像認識により異物（パターン画像）を検出した（ＹＥＳ）か否（ＮＯ）かを判定する。判定結果がＹＥＳの場合にはステップＳ５に進み、判定結果がＮＯの場合には本処理フローは「終了」となる。
【００３０】
次のステップＳ５では、制御部１８からの制御に基づいて表示部２３の画面に、その検出した部分（異物）を含む画像（静止画像）を、その検出部分（異物）が当該画像内のどの部分にあるのかを識別できるような表示態様で表示する。
【００３１】
例えば、図３の画面表示例に示すように、表示部２３の画面３０に、その検出部分（異物）３１を含む画像（静止画像３２）を表示するにあたり、その検出部分３１を他の部分とは異なる色（相対的に目立つ色）の破線で囲むことにより、当該検出部分３１が当該画像３２内のどの部分にあるのかを識別できるようにする。図３に示す画面表示例では、検出部分（異物）３１を目立つ色の破線で囲んでいるが、当該検出部分の表示態様はこれに限定されないことはもちろんである。例えば、当該検出部分３１を破線で囲んで点滅させたり、当該検出部分３１に矢印を付してその矢印を点滅させたりするなど、種々の表示態様が考えられる。
【００３２】
次のステップＳ６では、制御部１８において、操作部１２からのユーザ指示（当該検出部分（異物）３１をズームアップ表示する旨の指示）があった（ＹＥＳ）か否（ＮＯ）かを判定する。判定結果がＹＥＳの場合にはステップＳ７に進み、判定結果がＮＯの場合には本処理フローは「終了」となる。
【００３３】
最後のステップＳ７では、制御部１８からの制御に基づいて表示部２３の画面に、当該検出部分（異物）をズームアップして表示する。その際、制御部１８により、地図データベース１９に格納されている地図情報も参照して、当該異物を踏んだ時刻と場所を指示する情報も併せて表示する。
【００３４】
例えば、図４の画面表示例に示すように、表示部２３の画面３０に、当該検出部分（異物）をズームアップして表示すると共に（ズームアップ画像３３）、当該異物を踏んだ時刻を指示する情報３４（図示の例では、「ＰＭ３：３４」）と当該異物を踏んだ場所を指示する情報３５（図示の例では、「Ａ交差点付近」）も併せて表示する。そして、本処理フローは「終了」となる。
【００３５】
なお、本処理フローには特に図示はしていないが、最後のステップＳ７において当該検出部分（異物）のズームアップ表示（図４）を行った際に、必要に応じて操作部１２からのユーザ指示に基づき制御部１８により、当該異物を踏んだ場所周辺の地図画像を表示部２３の画面に表示させるようにしてもよい。
【００３６】
例えば、図５の画面表示例に示すように、表示部２３の画面３０に、当該異物を踏んだ場所（Ａ交差点３５ａ）の周辺の地図画像３６を表示する。図示の例では、地図画像３６は画面３０の一部（右下の隅）に表示されている。
【００３７】
以上説明したように、本実施形態に係る車載用ナビゲーション装置１０（図１）によれば、車両の走行中、前方カメラ１６Ｆにより車両前方の映像（画像）を継続的に取得し、制御部１８からの制御に基づいて、その取得した画像の情報を取得時の時間情報と共にドライブレコーダ情報としてＨＤＤ内の該当する記憶領域（ドライブレコーダ情報格納部２０）に上書きしながら逐次保存する一方で、車両挙動変化もしくは異音を検出した場合にその検出時点から１〜２秒ないし数秒前までの画像情報をドライブレコーダ情報から抽出してＨＤＤ内の別の記憶領域（異物検出用情報格納部２１）に保存している。そして、必要な時（例えば、操作部１２を介してユーザ指示があった時）に、制御部１８からの制御に基づき画像処理部１７において、ＨＤＤに格納されている異物検出用情報（画像）から画像認識により異物（パターン画像）を検出し、図３の画面表示例に示したように、その検出部分（異物）３１が当該画像（静止画像３２）内のどの部分にあるのかを識別できるような表示態様で表示部２３の画面３０に表示するようにしている。
【００３８】
つまり、ＨＤＤに保存された異物検出用情報（ドライブレコーダ情報）をそのまま読み出して動画再生する（この場合、運転に支障をきたす）のではなく、ユーザ（運転者）が欲しい情報（路上異物）のみを抽出し、画面を通して静止画像の態様で情報提供を行うようにしている。
【００３９】
これにより、ユーザは、車両を運転中に異物を踏んでしまった場合に、わざわざその場所まで戻らなくても、表示部２３の画面３０に表示された静止画像３２（この画像３２内に含まれる検出部分３１）を確認することで、その異物が何であったのかを認識することができる。これによって、このまま運転を継続して問題ないかどうかを確認することができ、その後も安全して運転を続けることができる。
【００４０】
また、図３に示したような静止画像３２（検出部分（異物）３１を含む）を見ただけでは当該異物が何であるかを容易には認識できない場合もあり得る。例えば、透明なガラス片や卵のパッケージなどは、画像を一見しただけでは何であるか直ぐには分からない。本実施形態では、そのような場合に、操作部１２からのユーザ指示に基づいて制御部１８により表示部２３の画面３０に、図４の画面表示例に示したように、その検出部分（異物）３１をズームアップして表示すると共に（ズームアップ画像３３）、当該異物を踏んだ時刻と場所を指示する情報３４，３５も併せて表示するようにしている。このズームアップ表示により、図３の画像からは肉眼でその異物が何であるかを認識できなかったものでも確実に「卵のパッケージ」であることが分かり、このまま運転を継続しても支障がないことを確認することができ、その後の安全運転に寄与する。
【００４１】
また、ズームアップ表示（図４）を行った際に、ユーザは、その異物を踏んだ場所が具体的に何処かを知りたい場合や、その異物次第ではその場所に戻ることを希望する場合もあり得る。本実施形態では、そのような場合に、操作部１２からのユーザ指示に基づいて制御部１８により表示部２３の画面３０に、図５の画面表示例に示したように、当該場所周辺の地図画像３６を画面３０の一部（図示の例では、右下の隅）に表示するようにしている。ユーザは、この地図画像３６を確認して、異物を踏んだ場所（Ａ交差点３５ａ）が何処なのかを知ることができる。このとき、地図画像３６の表示縮尺によってはその場所が何処なのかを容易に認識できない場合もあり得る。そのような場合には、画面を切り替えて一画面全体に地図画像３６を表示するようにすればよい。
【００４２】
上述した実施形態では、ドライブレコーダ情報を提供する手段として前方カメラ１６Ｆを用いた場合を例にとって説明したが、この前方カメラ１６Ｆの代わりに、図１に破線で示すように後方カメラ１６Ｒを用いてもよい。この場合、後方カメラ（車載カメラ）１６Ｒは、自車両の後方の適当な場所（例えば、リヤ席の後ろ側の天井部分の近傍）に設置され、制御部１８からの制御に基づいて起動し、走行中（停止時も含む）の車両後方の映像（画像情報）を継続的に取得する。また、制御部１８では、車両挙動変化もしくは異音を検出したときに、その検出時点から所定時間（１〜２秒ないし数秒）後までの画像情報をドライブレコーダ情報から抽出してＨＤＤ（異物検出用情報格納部２０）に保存する。
【図面の簡単な説明】
【００４３】
【図１】本発明の一実施形態に係る車載用ナビゲーション装置の構成を概略的に示すブロック図である。
【図２】図１のナビゲーション装置において制御部が行う路上異物の検出及びその表示に係る処理の一例を示すフロー図である。
【図３】路上異物の表示に係る画面表示例（その１）を示す図である。
【図４】路上異物の表示に係る画面表示例（その２）を示す図である。
【図５】路上異物の表示に係る画面表示例（その３）を示す図である。
【符号の説明】
【００４４】
１０…車載用ナビゲーション装置、
１２…操作部（入力手段）、
１３…ＧＰＳ受信機、
１４…マイクロホン、
１５…車両センサ（走行状態検出手段）、
１６Ｆ，１６Ｒ…車載カメラ（撮像手段）、
１７…画像処理部、
１８…制御部（制御手段）、
１９…地図データベース（ＨＤＤ／記憶手段）、
２０…ドライブレコーダ情報格納部（ＨＤＤ／記憶手段）、
２１…異物検出用情報格納部（ＨＤＤ／記憶手段）、
２３…表示部（表示手段）、
３０…表示画面、
３１…検出部分（異物）、
３２…検出部分を含む画像（静止画像）、
３３…検出部分のズームアップ画像（静止画像）、
３４…異物を踏んだ時刻を指示する情報、
３５…異物を踏んだ場所を指示する情報、
３６…（異物を踏んだ場所周辺の）地図画像。
【図１】
2006273190.tif 000003
【図２】
2006273190.tif 000004
【図３】
2006273190.tif 000005
【図４】
2006273190.tif 000006
【図５】
2006273190.tif 000007